(57)【特許請求の範囲】
【請求項１】
駆動源、動力伝達機構若しくは動力変換機構を格納する本体部と、該本体部の先端側に設けられ且つ前記動力伝達機構若しくは動力変換機構に連結される刈刃部とを備え、前記本体部は、先端側に前記動力変換機構を格納する膨出部と、該膨出部の後端に動力伝達機構及び駆動源を格納する柄部を備え、前記刈刃部は長手方向に沿う一側方にのみ複数の刈込刃を列設した構成を備えた刈込機において、
前記膨出部はその上部に、隆起部を備え、該隆起部には駆動源の駆動スイッチボタンを備えたことを特徴とする刈込機。
【請求項２】
前記膨出部の下部後縁から柄部の下部前端にかけて上方へ傾斜した傾斜部を備え、且つ、前記隆起部は平面視楕円輪郭若しくは長円輪郭形状とし、該隆起部の側面は親指による押圧を可能とする押圧部を備えたことを特徴とする請求項１記載の刈込機。
【請求項３】
前記隆起部は左右対称としたことを特徴とする請求項１又は２記載の刈込機。
【請求項４】
刈刃部の長手方向ラインと水平面とのなす傾斜角αが、上方へ１°以上１５°以下であることを特徴とする請求項１、２又は３記載の刈込機。
【請求項５】
刈込機全体における重心位置が、膨出部に位置することを特徴とする請求項１、２、３又は４記載の刈込機。
【発明の詳細な説明】
【技術分野】
【０００１】
本発明は、生垣等の刈込み、樹木の剪定、茶樹の刈込み等を行うための電動式の刈込機であって、駆動源から動力変換機構を介して長尺のバリカン式の刈込刃を連結し、長手方向に沿う一側方にのみ複数の固定刃及び可動刃からなる刈込刃を列設した片刃式の刈込機に関する。
【背景技術】
【０００２】
従来、上記した生垣の刈込等において、効率的な刈込を行うために、種々の刈込機が使用される。このような刈込機のうち、片刃式の刈込機は、多数の刈込刃を備えていながら、狭幅の構成を採ることができ、また両刃式と比較して重量の低減がされている。
しかしながら、そのような片刃式の刈込機であっても、駆動源、動力変換機構、長尺の刈込刃を有していること、更に使用時には駆動源からの振動の発生や枝葉の切断によって生じる不定方向の負荷が生じることもあるから、作業負担を低減し、片手で把持して使用できる刈込機の構成が案出されている。
【０００３】
このような片刃式の片手で把持可能な刈込機として、例えば、前後長さ方向に沿う片側が櫛刃状を有する固定刃と、該固定刃に対して鋏作用方向に駆動する複数枚の可動刃、又は前後方向に水平駆動する櫛刃状の可動刃を備えた片刃構造を有するバリカン式の刈刃部が、ハウジングの前端部から前方に向けて突設され、該ハウジング内にはモータが搭載され、該モータによる回転動力が、該ハウジング内の前部に設けた歯車組により減速し水平回転運動に変換され、更に、この水平回転運動がクランクアームにより前後進退運動に変換されて、この前後進退動を通じて前記刈刃部の可動刃を鋏作用方向に駆動させる動力伝達構造を有する園芸用バリカン装置において、前記ハウジングは、前部を構成する膨出部と、該膨出部に続く長さ途中部から後端部に至る部分に相当する柄部とが設けられた一本の短尺中空略太棒形状を有し、前記柄部に前記モータの電源スイッチが設けられ、前記膨出部内に前記歯車組が設けられ、前記モータは、前記ハウジング内における前記長さ途中部よりも後方となる箇所に、軸芯を該ハウジングの長さ方向に沿う横向き姿勢で配置され、前記刈刃部を含めた装置全体の重心を、前記長さ途中部に位置させて、前記長さ途中部が最適な片手把持部となるように構成されていることを特徴とする園芸用バリカン装置（例えば、特許文献１参照。）が公知である。
【０００４】
また、側方に刈刃を有する片刃式の刈込機を主とするものではないが、片手で把持可能な手持ち式電動工具として、後方においてモータを有する駆動部と、前方において被加工部を加工する加工部を有するヘッド部との間に、前記モータの駆動力を前記加工部に伝動するための伝動軸を内蔵した把持部を備え、該把持部が把持されて略水平に使用される手持ち式電動工具であって、前記把持部は把持体部とモータを作動させる押しボタン式のスイッチとを有し、該スイッチはスイッチ本体と操作部材とを有して把持部下面前部に配置され、前記伝動軸は把持部に水平に支持されるとともに、把持部の前部が後部に比べて下がった斜め形状に形成されることで把持体部の前部の下部内方に収納空間が形成され、該収納空間に前記スイッチ本体が収納され、操作部材が収納空間に出退自在に設けられ、重心を把持部において操作部材よりも後方に存在させていることを特徴とする手持ち式電動工具が公知である（例えば、特許文献２参照。）。
【先行技術文献】
【特許文献】
【０００５】
【特許文献１】登録実用新案第３１９６４７７号公報
【特許文献２】特許第４５２４１６８号公報
【発明の概要】
【発明が解決しようとする課題】
【０００６】
上記特許文献１に係る考案は、膨出部の後方となる柄部（特にその後端側）にモータの電源スイッチを備え、当該柄部のうち前端側を把持し、片手で把持可能な刈込機である。
この際に、片手で保持する位置は、柄部のうち長さ途中部となる。
当該刈込機を片手で把持して使用している状態からモータを停止させるためには、他方の片手によって前記電源スイッチをＯＦＦにする必要がある。このため、スイッチのＯＮ、ＯＦＦを適時に片手操作で切り替えることができない。
このことは、例えば、刈刃部が駆動状態のまま不慮に他物に接触し、当該他物を傷つける虞があるため、安全性の観点から問題がある。
【０００７】
一方、特許文献２に係る発明は、側方に刈刃を有する片刃式の刈込機を主とするものではないが、押しボタン式のスイッチ部を把持部下面前部に配置され、前記伝動軸は把持部に水平に支持されるとともに、把持部の前部が後部に比べて下がった斜め形状に形成されることで把持体部の前部の下部内方に収納空間が形成され、該収納空間に前記スイッチ本体が収納される構成を備えているため、片手操作でスイッチ部のＯＮ、ＯＦＦが可能であると考えられ、上記の安全性の観点からの問題は生じないとも考えられる。
【０００８】
このため当該特許文献２に係る電動工具の刃を前記特許文献１に係る側方に刈刃を有する片刃とするか、或いは上記特許文献１に係る刈込機において特許文献２の機構を採用することによって、側方に刈刃を有する片刃式の刈込機について安全な片手把持可能な刈込機は実現できるとも考えられる。
【０００９】
しかしながら、特許文献２の特徴とする押しボタン式スイッチ、及び、特許文献１、２の把持構造（即ち、把持部を上方から親指、下方から他の四指で握持する構成）を含めて、側方に刈刃を有する片刃式の刈込機を実現しようとすると、非常に操作が行い難くなる。
即ち、下方に吊り下げるように把持した状態で側方へ加減しながら切断操作を進めるため、手首を中心とした回転方向（刃先の左右方向）へのブレが生じやすく、これを抑えるために、手首に負担がかかりやすい。
また、前記手首を中心とした回転方向へのブレが生じることにより、刈込後の草木の体裁に悪影響を与える
【００１０】
本発明は、以上の事情に鑑みてなされたものであり、片手で把持可能な、側方に刈刃を有する片刃式の刈込機において、操作性が良好であり、且つ、より作業負担が低減でき、手首のブレを抑制することで刈込後の草木の体裁への悪影響を低減できる刈込機の提供を、発明が解決しようとする課題とする。
【課題を解決するための手段】
【００１１】
駆動源、動力伝達機構若しくは動力変換機構を格納する本体部と、該本体部の先端側に設けられ且つ前記動力伝達機構若しくは動力変換機構に連結される刈刃部とを備え、前記本体部は、先端側に前記動力変換機構を格納する膨出部と、該膨出部の後端に動力伝達機構及び駆動源を格納する柄部を備え、前記刈刃部は長手方向に沿う一側方にのみ複数の刈込刃を列設した構成を備えた刈込機において、前記膨出部はその上部に、隆起部を備え、該隆起部には駆動源の駆動スイッチボタンを備えたことを特徴とする刈込機を、上記課題を解決するための手段とする。
【００１２】
また本発明は、上記発明の構成に加えて、前記膨出部の下部後縁から柄部の下部前端にかけて上方へ傾斜した傾斜部を備え、且つ前記隆起部は平面視楕円輪郭若しくは長円輪郭形状とし、該隆起部の側面は親指による押圧を可能とする押圧面としたことを特徴とする刈込機を、上記課題を解決するための手段とする。
【００１３】
また本発明は、上記何れかの構成に加えて、前記隆起部は左右対称としたことを特徴とする刈込機を、上記課題を解決するための手段とする。
【００１４】
また本発明は、上記何れかの発明の構成に加えて、刈刃部の長手方向ラインと水平面とのなす傾斜角αが、上方へ１°以上１５°以下であることを特徴とする刈込機を、上記課題を解決するための手段とする。
【００１５】
また本発明は、上記何れかの発明の構成に加えて、刈込機の重心位置を膨出部に位置させたことを特徴とする刈込機を、上記課題を解決するための手段とする。
【発明の効果】
【００１６】
本発明によれば、前記膨出部における上部に隆起部を備え、該隆起部には駆動源の駆動スイッチボタンを備えたこととしたから、片手で柄部を把持した状態で、親指によってスイッチ部のＯＮ／ＯＦＦを切り替えることができ、一側方にのみ複数の刈込刃を列設した刈込機において、その利便性、安全性を大幅に向上させることができる。
【００１７】
また本発明によれば、上記構成を前提として、前記膨出部の下部後縁から柄部の下部前端にかけて上方へ傾斜した傾斜部を備え、且つ前記隆起部は平面視楕円輪郭若しくは長円輪郭形状とし、該隆起部の側面は親指による押圧を可能とする押圧部としたから、柄部の前端下方から人差し指又は中指によって握り込みながら、当該押圧面を親指で押圧することで、手首のブレが大幅に抑制される。これによって、手首への負担が低減されるとともに、側方への刈込機の移動を容易に行え、刈込の体裁の悪化を低減することができる。
【００１８】
また本発明によれば、上記いずれかの構成を前提として、前記隆起部は左右対称としたことから、利き手が左右いずれであっても、また利き手にかかわらず左右いずれの手で握持しても、上記何れかの刈込機の作用効果を奏することができる点で、より有利なものとすることができる。
【００１９】
また本発明によれば、上記何れかの構成を前提として、刈刃部の長手方向ラインと水平面とのなす傾斜角αが、上方へ１°以上１５°以下であることから、上記何れかの刈込機の作用効果を奏する上に、作業時に刈込機の重量により刃先が下方へ向きやすくなるところ、当該事象を緩和でき、また、上下反転させた状態で、刈込対象の仕上がりを球面等の曲面輪郭に仕上げる際により有利とすることができる。
【００２０】
また本発明によれば、上記何れかの構成を前提として、刈込機の重心位置を膨出部に位置させた構成を備えたから、上記何れかの作用効果を奏する上に、親指を押圧部に沿わせた状態若しくは親指と人差し指で隆起部を挟み込んだ状態において、握持位置と重心とが近接した状態若しくは一致した状態となり、刈込機の操作性を更に良好とすることができる。
【図面の簡単な説明】
【００２１】
【図１】本発明の実施例に係る（ａ）刈込機の平面図、（ｂ）刈込機を把持した状態を示す平面説明図である。
【図２】本発明の実施例に係る（ａ）刈込機の正面図、（ｂ）刈込機を把持した状態を示す正面説明図である。
【図３】本発明の実施例に係る刈込機の本体部における膨出部及び第一握持部の内部構造を示す説明図である。
【図４】本発明の実施例に係る刈込機の本体部における膨出部及び第一握持部の内部構造を示す断面略図である。
【発明を実施するための形態】
【００２２】
以下に本発明の実施例に係る刈込機について、以下に説明する。尚、本発明は以下に示す構成に限るものではなく、本発明の技術的思想を逸脱しない範囲において、種々の変形例、設計変更等を含む。
【実施例】
【００２３】
本発明の実施例に係る刈込機Ｔは、図１〜図５に示すように、本体部１と、該本体部１の前方に設けられる刈刃部２、当該本体部１の後方に設けられる電源コード３を備えている。
【００２４】
前記本体部１は、前方側に膨出部１０、後方側に柄部１１を有している。当該柄部１１はその前方部分を第一握持部１１０、中央部分を駆動源格納部１１２、後方部分を第二握持部１１１としている。
前記柄部１１における駆動源格納部１１２には、モータ１４（駆動源）が格納されている。前記電源コード３から前記柄部１１の第二握持部１１１内を通して、駆動源格納部１１２の当該モータ１４へ電力が供給される。また、モータ１４の軸部から第一握持部１１０内を通して前記膨出部１０の動力変換機構１６までの間には、減速機構（遊星ギア１３）及び第一伝達軸１６０を設けてある。前記モータ１４からの出力を同軸上で減速機構により減速し、第一伝達軸１６０によって膨出部１０に格納される動力変換機構１６へ伝達する。動力変換機構１６により、刈刃部２におけるロッド２０を介して可動刃２２が動作し、固定刃２３と当該可動刃２２による切断が可能となるものである。
【００２５】
本実施例における刈込機Ｔの前記膨出部１０は、上部側に隆起部１００を備えており、隆起部１００の上部にはモータ１４の動作のＯＮ（稼働）、ＯＦＦ（停止）を切り替えるスイッチ部１０２を備えている。また、膨出部１０の内部には、当該スイッチ部１２におけるスイッチ本体１０２ａと、動力変換機構１６と、固定刃形成体２１の基端を保持する固定刃保持部１０１を備えている。
【００２６】
本実施例における隆起部１００は膨出部１０における上部を占める部分であり、前後方向に細長となる略楕円柱状の側周面をなだらかに傾斜させて立設した丘陵形状を有する。
【００２７】
前記隆起部１００における細長となる楕円の輪郭は、当該隆起部１００の左右幅が概ね５センチメートル未満であり、平面視における後端部分は、親指ｆ１が当該押圧部１０４に当接した状態で、親指ｆ１及び人差し指ｆ２間の指股の開き加減を過度に圧迫しない幅寸法及び円弧輪郭で構成したものである。
【００２８】
本実施例における当該隆起部１００は左右対称に形成してあり、その側面は親指ｆ１を当接して押圧可能な押圧部１０４として機能する。隆起部１００が左右対称であることにより、右手、左手のいずれで把持した場合においても、対応するいずれか一方の側面が押圧部１０４として機能する。
【００２９】
また、本実施例においては、隆起部１００が前後方向に細長となる略楕円柱状の側周面をなだらかに傾斜させて立設した形状であることによって、親指ｆ１と人差し指ｆ２によって当該隆起部１００を挟持するように沿わせることが可能である。
この結果、膨出部１０のうち隆起部１００を親指ｆ１及び人差し指ｆ２で挟持しつつ（この際には親指ｆ１で押圧部１０４を押圧することとなる。）、中指ｆ３、薬指、小指の３指で第一握持部１１０を握持すること、若しくは、膨出部１０の押圧部１０４を親指ｆ１で押圧しながら他の４指で握持部を握持する等の把持が行える構成としてある。
【００３０】
前記膨出部１０における上部に設けたモータ１４の駆動のＯＮ／ＯＦＦ動作のためのスイッチ部１２は、いわゆるプッシュキャンセル式のスイッチ部１２である。
本実施例に係るスイッチ部１２は、モータ１４の駆動のＯＮ／ＯＦＦ切り替え操作をするための駆動スイッチボタンとして、モータ１４の動作をＯＮとするための第一スイッチボタン１０３と、該第一スイッチボタン１０３の後方に隣接して設けられる主としてモータ１４の動作をＯＦＦとするための第二スイッチボタン１０５を備えている。
【００３１】
前記第一スイッチボタン１０３は、内蔵された第一コイルばね１０３ｂに抗して概ね前方へスライド可能とした構成である。また、第一スイッチボタン１０３は、後片と該後片に形成される第一係止部１０３ｃを有している。第一スイッチボタン１０３の後端側には凹部１０３ａを形成してある。
第二スイッチボタン１０５は、内蔵される第二コイルばね１０５ａに抗して概ね下方へ押込み可能とした構成である。また、第二スイッチボタン１０５は、前記第一スイッチボタン１０３の後片が通過する貫通穴１０５ｃを有しており、該貫通穴１０５ｃ内に、前記第一係止部１０３ｃと係止可能な第二係止部１０５ｂを有している。第二スイッチボタン１０５の上端は第一スイッチボタン１０３の凹部１０３ａの高さ位置よりも嵩高としてある。
通常の停止状態においては、第一係止部１０３ｃ及び第二係止部１０５ｂが係止した状態で、且つ第一コイルばね１０３ｂによる後方への付勢力、第二コイルばね１０５ａによる上方への付勢力が継続的に作用した構成である。
【００３２】
また、上記構成とすることによって、通常の停止状態においては、第一係止部１０３ｃ及び第二係止部１０５ｂが係止した状態で、且つ第一コイルばね１０３ｂによる後方への付勢力、第二コイルばね１０５ａによる上方への付勢力が作用しているため、第二スイッチボタン１０５を押し込まない限り、更に、第一スイッチボタン１０３を前方へスライドさせない限り、スイッチ部１２がＯＮとなることはない。このため不用意な稼働動作に対する安全性が確保される。
【００３３】
モータ１４の動作をＯＮとするには、前方の第一スイッチボタン１０３及び後方の第二スイッチボタン１０５を押しつつ第一スイッチボタン１０３を前方へスライドさせることで行う。ここで、第一スイッチボタン１０３の後端側に凹部１０３ａを形成し、第二スイッチボタン１０５の上端を凹部よりも嵩高とし、前記凹部１０３ａに隣接させた構成としたことから、親指ｆ１一本でモータ１４のＯＮの操作を行うことができる。
【００３４】
モータ１４の動作をＯＦＦとするには、後方の第二スイッチボタン１０５のみを押すことで行うことができる。第二スイッチボタン１０５を押し込むことで、第一係止部１０３ｃ及び第二係止部１０５ｂが解除され、第一スイッチボタン１０３は第一コイルばね１０３ｂの付勢により後方へ移動し、スイッチ部１２がＯＦＦとなる。
スイッチ部１２のＯＮの操作と同様に、モータ１４のＯＦＦの操作は親指ｆ１一本で行うことができる。
【００３５】
また、緊急的に動作の停止ができることが求められるところ、第一スイッチボタン１０３の凹部１０３ａに隣接する第二スイッチボタン１０５が、当該凹部１０３ａより嵩高であることで、第二スイッチボタン１０３を視認することなく指の感覚で簡単に停止操作（即ち、第二スイッチボタン１０３を押圧する操作）ができる。
【００３６】
前記動力変換機構１６は、前記第一伝達軸１６０の先端に設けた第一かさ歯車１６１と第二伝達軸１６２の先端に設けた第二かさ歯車１６３を有する。第一伝達軸１６０と第二伝達軸１６２は、屈曲角８８°とした金属製の屈曲板材１６４の各一面に保持されており、前記かさ歯車相互は、交差角８８°で噛合している。
【００３７】
第一伝達軸１６０は屈曲ライン１６４ａを挟む一方の板部に形成した第一保持用切欠部１６４ｂに保持され、第二伝達軸１６２は他方の板部に形成した第二保持用切欠部１６４ｃに保持される。
また、上記動力変換機構１６における第二伝達軸１６２は概ね下方へ向けて延設されている。当該第二伝達軸１６２の下端はカム軸としてある。
【００３８】
可動刃２２を往復動させるためのロッド２０はその基端部に楕円輪状の輪郭を有する環状部２０ａを有している。前記動力変換機構１６におけるカム部材が環状部２０ａ内に設けられ、当該カム部材の回転動作によって環状部２０ａの内面の一部が当該カム部材に当接することで、当該環状部２０ａがカム部材に従動し、当該環状部２０ａを有するロッド２０全体が長手方向に直線往復動作する構成としてある。
【００３９】
また当該本体部１の内面には動力変換機構１６の各構成部材、前記モータ１４、スイッチ本体１０２ａ及びこれに関する配線類、ロッド２０等の配置を位置決めするためのリブ１２を有している。スイッチ本体１０２ａに接続される配線は、後方に位置するモータ１４に接続するために、リブ１２によって柄部１１の後方へ案内される。
また、前記屈曲板材１６４は、リブ１２によって設置位置で固定され、前記交差軸の一定角度（８８°）を保持する。刈刃部２による切断に伴う第一かさ歯車１６１及び第二かさ歯車１６３相互を引き離す負荷が発生しても、屈曲板材１６４及びリブ１２による補強効果によって、これを大幅に抑制するため、優れた耐久性を付与でき、長期に亘って、交差軸の一定角度を保持することができる。
【００４０】
膨出部１０の下部には、固定刃形成体２１の基端を保持する固定刃保持部１０１を備えている。
当該固定刃保持部１０１は、水平に対して上方へ２°傾斜させた状態で保持するように傾斜面を有している。当該構成によって可動刃２２と連結される前記ロッド２０の傾斜角度と一致することとなる。
【００４１】
本実施例に係る刈刃部２は、複数の固定刃２３を一体に列設してなる固定刃形成体２１と、ロッド２０と、可動刃２２とを有する。前記固定刃形成体２１に列設された固定刃間に可動刃２２が位置するように、可動刃２２の略中央を前記固定刃保持部１０１に対して固定刃側軸部を用いて軸着し、前記可動刃２２の基端側が可動刃用ロッド２０に対して可動刃側軸部を用いて軸着してなる。
【００４２】
本実施例においては、前記膨出部１０の下部後縁から柄部１１の下部前端にかけて上方へ傾斜した傾斜部１１３を備えている。当該傾斜部１１３を形成したことによって、第一握持部１１０を握持する３指若しくは４指を膨出部１０に近づけ、親指ｆ１の位置を膨出部１０上に案内し易くなり、前記３指若しくは４指で握持部を握持しつつ隆起部１００の押圧部１０４を親指ｆ１にて押圧する操作がより良好となる。
【００４３】
尚、本実施例においては、柄部１１の後端を第二握持部１１１とすることにより、必要に応じて両手で握持する際にも、両手での握持を良好に行うことができる。
【００４４】
また上記実施例において、刈刃部２を水平方向に対して２°傾斜させた構成としたことによって、作業時に刈込機Ｔの重量により刃先が下方へ向きやすくなるところ、概ね水平を維持し易くする効果が得られる。また、隆起部１００を備える構成と組み合わせることによって、重量配分の大きい膨出部１０における隆起部１００を親指ｆ１で押圧し、又は親指ｆ１及び人差し指ｆ２で当該隆起部１００を挟持するため、膨出部１０に取着した刈刃部２の基端の傾き加減が調節し易くなり、相乗的に操作を良好とすることができる。
【００４５】
また、当該刈込機Ｔを把持した状態で上下を反転させることにより、下方へ向けて刈刃部２を傾斜させることで、刈込対象の仕上がりを球面等の曲面輪郭に仕上げる際により有利とすることができる。
【００４６】
本発明においては、上記傾斜角度は、１°以上１５°以下で上記効果を得ることができる。尚、１°未満の場合には、実質的に傾斜角度を設けない場合と比較した効果が認められず、また１５°を超える傾斜角度とすると、上記のように上下反転させた状態で使用するとコントロールが行い難くなる傾向が高くなる。
【００４７】
また本実施例においては、隆起部１００は左右対称として形成したが、本発明においては当該構成に限定されるものではなく、例えば、左右非対称とすることもできる。この場合において、左利き、右利きに最適な形状とすることができる。尚、実施例のように、左右対称とした場合においては、左利き、右利きの別を問わず、また左手、右手のいずれで使用しても本発明の上記効果を発揮させることができる点において、優れたものとすることができる。
【００４８】
また本発明において傾斜部は、実施例に示したように曲面を含んで傾斜したものとすることもできるし、全体を平面として傾斜したものとすることもできる。
【符号の説明】
【００４９】
ｆ１      親指
ｆ２      人差し指
ｆ３      中指
Ｔ        刈込機
１        本体部
１０      膨出部
１００    隆起部
１０１    固定刃保持部
１０２    スイッチ部
１０２ａ  スイッチ本体
１０３    第一スイッチボタン
１０３ａ  凹部
１０３ｂ  第一コイルばね
１０３ｃ  第一係止部
１０４    押圧部
１０５    第二スイッチボタン
１０５ａ  第二コイルばね
１０５ｂ  第二係止部
１０５ｃ  貫通穴
１１      柄部
１１０    第一握持部
１１１    第二握持部
１１２    駆動源格納部
１１３    傾斜部
１２      リブ
１３      遊星ギア（減速機）
１４      モータ（駆動源）
１６      動力変換機構
１６０    第一伝達軸
１６１    第一かさ歯車
１６２    第二伝達軸
１６３    第二かさ歯車
１６４    屈曲板材
１６４ａ  屈曲ライン
１６４ｂ  第一保持用切欠部
１６４ｃ  第二保持用切欠部
２        刈刃部
２０      ロッド
２０ａ    環状部
２１      固定刃形成体
２２      可動刃
２３      固定刃
３        電源コード
【図１】
0006506669.tif 000002
【図２】
0006506669.tif 000003
【図３】
0006506669.tif 000004
【図４】
0006506669.tif 000005